【手続補正書】
【提出日】平成16年12月24日(2004.12.24)
【手続補正１】
【補正対象書類名】明細書
【補正対象項目名】発明の名称
【補正方法】変更
【補正の内容】
【発明の名称】画情報転送サーバ装置およびその制御方法および画像転送システム
【手続補正２】
【補正対象書類名】明細書
【補正対象項目名】特許請求の範囲
【補正方法】変更
【補正の内容】
【特許請求の範囲】
【請求項１】
複数のスキャナ装置および複数のプリンタ装置とネットワークを介して接続され、前記複数のスキャナ装置の内の任意のスキャナ装置で読み取った画情報を前記複数のプリンタ装置の内の任意のプリンタ装置に前記ネットワークを介して転送して印字出力する画情報転送サーバ装置において、
前記複数のスキャナ装置のそれぞれの特性情報および前記複数のプリンタ装置のそれぞれの特性情報をそれぞれ記憶管理する特性情報管理手段と、
前記複数のスキャナ装置の内の特定のスキャナ装置からの前記複数のプリンタ装置の特定のプリンタ装置を指定するプリント要求に際して、前記特性情報管理手段に記憶管理された特性情報を参照して前記特定のスキャナ装置から送信された画情報を前記特定のプリンタ装置の特性に合わせた画情報に変換して前記特定のプリンタ装置に送信する画情報変換手段と
を具備することを特徴とする画情報転送サーバ装置。
【請求項２】
前記特性情報は、
前記複数のスキャナ装置および前記複数のプリンタ装置のそれぞれの性能を示す性能情報および色特性を示す色特性情報を含む
ことを特徴とする請求項１記載の画情報転送サーバ装置。
【請求項３】
前記画情報転送サーバ装置は、
前記スキャナ装置からのプリント要求に際して、前記特性情報管理手段に記憶管理された特性情報を参照して該スキャナ装置に対して所要のスキャンパラメータ情報を送信するスキャンパラメータ情報送信手段
を具備し、
前記スキャナ装置は、
前記スキャンパラメータ情報送信手段により送信されたスキャンパラメータ情報に対応して該スキャナ装置のスキャンパラメータを自動設定するスキャンパラメータ設定手段
を具備することを特徴とする請求項１記載の画情報転送サーバ装置。
【請求項４】
前記画情報転送サーバ装置は、
更に前記スキャン装置から送信された画情報を該画情報のスキャンパラメータとともに格納する画情報記憶装置とネットワークを介して接続され、
前記画情報転送サーバ装置の前記画情報変換手段は、
前記画情報記憶装置に格納された特定の画情報の特定のプリンタ装置を指定するプリント要求に際して、前記画情報記憶装置から該特定の画情報および該特定の画情報とともに格納されたスキャンパラメータを読み出し、前記特性情報管理手段に記憶管理された特性情報および該スキャンパラメータを参照して該特定の画情報を前記特定のプリンタ装置の特性に合わせた画情報に変換して前記特定のプリンタ装置に送信する
ことを特徴とする請求項１記載の画情報転送サーバ装置。
【請求項５】
複数のスキャナ装置および複数のプリンタ装置とネットワークを介して接続され、前記複数のスキャナ装置の内の任意のスキャナ装置で読み取った画情報を前記複数のプリンタ装置の内の任意のプリンタ装置に前記ネットワークを介して転送して印字出力する画情報転送サーバ装置の制御方法において、
前記ネットワーク上に画情報転送サーバ装置を接続し、
前記画情報転送サーバ装置は、前記複数のスキャナ装置のそれぞれの特性情報および前記複数のプリンタ装置のそれぞれの特性情報をそれぞれ記憶管理するとともに、
前記複数のスキャナ装置の内の特定のスキャナ装置からの前記複数のプリンタ装置の特定のプリンタ装置を指定するプリント要求に際して、前記記憶管理された特性情報を参照して前記特定のスキャナ装置から送信された画情報を前記特定のプリンタ装置の特性に合わせた画情報に変換して前記特定のプリンタ装置に送信する
ことを特徴とする画情報転送サーバ装置の制御方法。
【請求項６】
前記特性情報は、
前記複数のスキャナ装置および前記複数のプリンタ装置のそれぞれの性能を示す性能情報および色特性を示す色特性情報を含む
ことを特徴とする請求項５記載の画情報転送サーバ装置の制御方法。
【請求項７】
前記画情報転送サーバ装置は、前記スキャナ装置からのプリント要求に際して、前記特性情報管理手段に記憶管理された特性情報を参照して該スキャナ装置に対して所要のスキャンパラメータ情報を送信し、
前記スキャナ装置は、前記画情報転送サーバ装置から送信されたスキャンパラメータ情報に対応して該スキャナ装置のスキャンパラメータを自動設定する
ことを特徴とする請求項５記載の画情報転送サーバ装置の制御方法。
【請求項８】
前記画情報転送サーバ装置は、更に前記スキャン装置から送信された画情報を該画情報のスキャンパラメータとともに格納する画情報記憶装置とネットワークを介して接続され、
前記画情報転送サーバ装置は、前記画情報記憶装置に格納された特定の画情報の特定のプリンタ装置を指定するプリント要求に際して、前記画情報記憶装置から該特定の画情報および該特定の画情報とともに格納されたスキャンパラメータを読み出し、
前記特性情報管理手段に記憶管理された特性情報および該スキャンパラメータを参照して該特定の画情報を前記特定のプリンタ装置の特性に合わせた画情報に変換して前記特定のプリンタ装置に送信する
ことを特徴とする請求項５記載の画情報転送サーバ装置の制御方法。
【請求項９】
複数のスキャナ装置および複数のプリンタ装置をネットワーク上に接続し、前記複数のスキャナ装置の内の任意のスキャナ装置で読み取った画情報を前記複数のプリンタ装置の内の任意のプリンタ装置に前記ネットワークを介して転送して印字出力する画像転送システムにおいて、
前記複数のスキャナ装置のそれぞれの特性情報および前記複数のプリンタ装置のそれぞれの特性情報をそれぞれ記憶管理する特性情報管理手段と、
前記複数のスキャナ装置の内の特定のスキャナ装置からの前記複数のプリンタ装置の特定のプリンタ装置を指定するプリント要求に際して、前記特性情報管理手段に記憶管理された特性情報を参照して前記特定のスキャナ装置から送信された画情報を前記特定のプリンタ装置の特性に合わせた画情報に変換して前記特定のプリンタ装置に送信する画情報変換手段と
を具備する画情報転送サーバ装置を前記ネットワーク上に接続したことを特徴とする画像転送システム。
【手続補正３】
【補正対象書類名】明細書
【補正対象項目名】０００１
【補正方法】変更
【補正の内容】
【０００１】
【発明の属する技術分野】
この発明は画情報転送サーバ装置およびその制御方法および画像転送システムに関し、詳しくは、ネットワーク上に接続された任意のスキャナ装置から入力された画情報を任意のプリンタ装置に転送する場合に最適な色空間補正およびスキャンパラメータ選択を行なうことができるようにした画情報転送サーバ装置およびその制御方法および画像転送システムに関する。
【手続補正４】
【補正対象書類名】明細書
【補正対象項目名】００１１
【補正方法】変更
【補正の内容】
【００１１】
そこで、この発明は、ネットワーク上に接続された任意のスキャナ装置から入力された画情報を任意のプリンタ装置に転送する場合に最適な色空間補正およびスキャンパラメータ選択を容易に行なうことができるようにして操作性の向上を図った画情報転送サーバ装置およびその制御方法および画像転送システムを提供することを目的とする。
【手続補正５】
【補正対象書類名】明細書
【補正対象項目名】００１２
【補正方法】変更
【補正の内容】
【００１２】
上記目的を達成するため、請求項１の発明は、
複数のスキャナ装置および複数のプリンタ装置とネットワークを介して接続され、前記複数のスキャナ装置の内の任意のスキャナ装置で読み取った画情報を前記複数のプリンタ装置の内の任意のプリンタ装置に前記ネットワークを介して転送して印字出力する画情報転送サーバ装置において、
前記複数のスキャナ装置のそれぞれの特性情報および前記複数のプリンタ装置のそれぞれの特性情報をそれぞれ記憶管理する特性情報管理手段と、
前記複数のスキャナ装置の内の特定のスキャナ装置からの前記複数のプリンタ装置の特定のプリンタ装置を指定するプリント要求に際して、前記特性情報管理手段に記憶管理された特性情報を参照して前記特定のスキャナ装置から送信された画情報を前記特定のプリンタ装置の特性に合わせた画情報に変換して前記特定のプリンタ装置に送信する画情報変換手段と
を具備することを特徴とする。
【手続補正６】
【補正対象書類名】明細書
【補正対象項目名】００１５
【補正方法】変更
【補正の内容】
【００１５】
また、請求項４の発明は、請求項１の発明において、
前記画情報転送サーバ装置は、
更に前記スキャン装置から送信された画情報を該画情報のスキャンパラメータとともに格納する画情報記憶装置とネットワークを介して接続され、
前記画情報転送サーバ装置の前記画情報変換手段は、
前記画情報記憶装置に格納された特定の画情報の特定のプリンタ装置を指定するプリント要求に際して、前記画情報記憶装置から該特定の画情報および該特定の画情報とともに格納されたスキャンパラメータを読み出し、前記特性情報管理手段に記憶管理された特性情報および該スキャンパラメータを参照して該特定の画情報を前記特定のプリンタ装置の特性に合わせた画情報に変換して前記特定のプリンタ装置に送信する
ことを特徴とする。
【手続補正７】
【補正対象書類名】明細書
【補正対象項目名】００１６
【補正方法】変更
【補正の内容】
【００１６】
また、請求項５の発明は、
複数のスキャナ装置および複数のプリンタ装置とネットワークを介して接続され、前記複数のスキャナ装置の内の任意のスキャナ装置で読み取った画情報を前記複数のプリンタ装置の内の任意のプリンタ装置に前記ネットワークを介して転送して印字出力する画情報転送サーバ装置の制御方法において、
前記ネットワーク上に画情報転送サーバ装置を接続し、
前記画情報転送サーバ装置は、
前記複数のスキャナ装置のそれぞれの特性情報および前記複数のプリンタ装置のそれぞれの特性情報をそれぞれ記憶管理するとともに、
前記複数のスキャナ装置の内の特定のスキャナ装置からの前記複数のプリンタ装置の特定のプリンタ装置を指定するプリント要求に際して、前記記憶管理された特性情報を参照して前記特定のスキャナ装置から送信された画情報を前記特定のプリンタ装置の特性に合わせた画情報に変換して前記特定のプリンタ装置に送信する
ことを特徴とする。
【手続補正８】
【補正対象書類名】明細書
【補正対象項目名】００１９
【補正方法】変更
【補正の内容】
【００１９】
また、請求項８の発明は、請求項５の発明において、
前記画情報転送サーバ装置は、更に前記スキャン装置から送信された画情報を該画情報のスキャンパラメータとともに格納する画情報記憶装置とネットワークを介して接続され、
前記画情報転送サーバ装置は、前記画情報記憶装置に格納された特定の画情報の特定のプリンタ装置を指定するプリント要求に際して、前記画情報記憶装置から該特定の画情報および該特定の画情報とともに格納されたスキャンパラメータを読み出し、
前記特性情報管理手段に記憶管理された特性情報および該スキャンパラメータを参照して該特定の画情報を前記特定のプリンタ装置の特性に合わせた画情報に変換して前記特定のプリンタ装置に送信する
ことを特徴とする。  
また、請求項９の発明は、
複数のスキャナ装置および複数のプリンタ装置をネットワーク上に接続し、前記複数のスキャナ装置の内の任意のスキャナ装置で読み取った画情報を前記複数のプリンタ装置の内の任意のプリンタ装置に前記ネットワークを介して転送して印字出力する画像転送システムにおいて、
前記複数のスキャナ装置のそれぞれの特性情報および前記複数のプリンタ装置のそれぞれの特性情報をそれぞれ記憶管理する特性情報管理手段と、
前記複数のスキャナ装置の内の特定のスキャナ装置からの前記複数のプリンタ装置の特定のプリンタ装置を指定するプリント要求に際して、前記特性情報管理手段に記憶管理された特性情報を参照して前記特定のスキャナ装置から送信された画情報を前記特定のプリンタ装置の特性に合わせた画情報に変換して前記特定のプリンタ装置に送信する画情報変換手段と
を具備する画情報転送サーバ装置を前記ネットワーク上に接続したことを特徴とする。
【手続補正９】
【補正対象書類名】明細書
【補正対象項目名】００２０
【補正方法】変更
【補正の内容】
【００２０】
【発明の実施の形態】
以下、この発明に係わる画情報転送サーバ装置およびその制御方法および画像転送システムの一実施の形態を添付図面を参照して詳細に説明する。
【手続補正１０】
【補正対象書類名】明細書
【補正対象項目名】００２１
【補正方法】変更
【補正の内容】
【００２１】
図１は、この発明に係わる画像転送システムの一実施の形態をブロック図で示したものである。